(57)【特許請求の範囲】
【請求項１】
着信時に着信通知を行う携帯電話の着信通知システムにおいて、
前記携帯電話への着信を知らせるバイブレータのＯＮ／ＯＦＦを判定するバイブレータＯＮ／ＯＦＦ判定部と、
固定電話の電話番号、前記固定電話が属するエリアにある前記携帯電話の基地局の基地局番号、着信転送設定ＯＮ／ＯＦＦを設定値として保持する設定値保持部と、
前記携帯電話の着信時に前記携帯電話が属する現在の基地局の基地局番号が前記設定値保持部に保持される前記基地局番号と一致するか否かの判定、着信転送設定がＯＮであるか否かの判定を行う基地局番号判定部と、
バイブレータＯＮ／ＯＦＦ判定部によるバイブレータＯＮの判定があり、前記携帯電話の着信時に前記基地局番号判定部による基地局番号の一致との判定があり、且つ、着信転送設定がＯＮであるとの判定があった場合、前記設定値保持部に保持されている前記固定電話の電話番号に着信を通知する発信を行う着信通知部とを備えることを特徴とする携帯電話の着信通知システム。
【請求項２】
着信時に着信通知を行う携帯電話の着信通知システムにおいて、
前記携帯電話への着信を知らせるバイブレータのＯＮ／ＯＦＦを判定するバイブレータＯＮ／ＯＦＦ判定部と、
パーソナルコンピュータのメールアドレス、前記パーソナルコンピュータが属するエリアにある前記携帯電話の基地局の基地局番号、着信転送設定ＯＮ／ＯＦＦを設定値として保持する設定値保持部と、
前記携帯電話の着信時に前記携帯電話が属する現在の基地局の基地局番号が前記設定値保持部に保持される前記基地局番号と一致するか否かの判定、着信転送設定がＯＮであるか否かの判定を行う基地局番号判定部と、
バイブレータＯＮ／ＯＦＦ判定部によるバイブレータＯＮの判定があり、前記携帯電話の着信時に前記基地局番号判定部による基地局番号の一致との判定があり、且つ着信転送設定がＯＮであるとの判定があった場合、前記設定値保持部に保持されている前記パーソナルコンピュータのメールアドレスに着信を通知するメールを送信する着信通知部とを備えることを特徴とする携帯電話の着信通知システム。
【請求項３】
着信時に着信通知を行う携帯電話の着信通知システムにおいて、
前記携帯電話への着信を知らせるバイブレータのＯＮ／ＯＦＦを判定するバイブレータＯＮ／ＯＦＦ判定部と、
固定電話の電話番号、前記固定電話が属するエリアにある前記携帯電話の基地局の基地局番号、パーソナルコンピュータのメールアドレス、前記パーソナルコンピュータが属するエリアにある前記携帯電話の基地局の基地局番号、着信転送設定ＯＮ／ＯＦＦを設定値として保持する設定値保持部と、
前記携帯電話の着信時に前記携帯電話が属する現在の基地局の基地局番号が前記設定値保持部に保持される前記基地局番号と一致するか否かの判定、着信転送設定がＯＮであるか否かの判定を行う基地局番号判定部と、
バイブレータＯＮ／ＯＦＦ判定部によるバイブレータＯＮの判定があり、前記携帯電話の着信時に前記基地局番号判定部による基地局番号の一致との判定があり、且つ着信転送設定がＯＮであるとの判定があった場合、前記設定値保持部に保持されている前記固定電話の電話番号に着信を通知し、又は前記パーソナルコンピュータのメールアドレスに着信を通知するメールを送信する着信通知部とを備えることを特徴とする携帯電話の着信通知システム。
【請求項４】
前記設定値保持部に保持される固定電話の電話番号又はパーソナルコンピュータのメールアドレス、前記固定電話が属するエリアにある前記携帯電話の基地局の基地局番号、着信転送設定ＯＮ／ＯＦＦはキー操作から入力されることを特徴とする、請求項１、２、又は３に記載の携帯電話の着信通知システム。
【請求項５】
前記着信通知部は、前記バイブレータの振動停止から着信の通知を行う時間内に前記携帯電話にキー操作があったときに、着信の通知を停止することを特徴とする、請求項１、２、又は３に記載の携帯電話の着信通知システム。
【請求項６】
前記設定値保持部は、前記着信通知部により前記バイブレータの振動停止から着信の通知が行われる時間を設定時間として保持し、保持した前記設定時間が可変にできることを特徴とする、請求項１、２、又は３に記載の携帯電話の着信通知システム。
【請求項７】
前記着信通知部は、一定時間間隔の着信の通知に関する動作を設定回数だけ繰り返し行うことを特徴とする、請求項１、２、又は３に記載の携帯電話の着信通知システム。
【請求項８】
前記着信通知部は、一定時間の着信の通知に関する動作を設定回数だけ繰り返し行う場合、着信の通知に関する動作間に前記携帯電話にキー操作があったとき、着信の通知を停止することを特徴とする、請求項１、２、又は３に記載の携帯電話の着信通知システム。
【請求項９】
前記設定値保持部は、前記着信報知部により行われる着信の通知に関する動作について、転送先の固定電話の電話番号又はパーソナルコンピュータのメールアドレスに発信するまでの待ち時間、転送先の電話番号又はメールアドレスに発信している時間、再転送先の電話番号又はメールアドレスに発信するまでの待ち時間を設定時間として保持し、保持される前記設定時間が可変にできることを特徴とする、請求項１、２、又は３に記載の携帯電話の着信通知システム。
【請求項１０】
前記設定値保持部は、前記着信報知部により行われる前記着信の通知に関する動作の時間間隔を設定時間間隔として保持し、保持される前記設定時間間隔が可変にできることを特徴とする、請求項１、２、又は３に記載の携帯電話の着信通知システム。
【請求項１１】
前記設定値保持部は、前記着信報知部により行われる着信の通知に関する動作の回数を設定回数として保持し、保持される前記設定回数が可変にできることを特徴とする、請求項１、２、又は３に記載の携帯電話の着信通知システム。
【請求項１２】
着信時に着信通知を行う携帯電話の着信通知方法において、
前記携帯電話への着信を知らせるバイブレータのＯＮ／ＯＦＦを判定する工程と、
固定電話の電話番号、前記固定電話が属するエリアにある前記携帯電話の基地局の基地局番号、着信転送設定ＯＮ／ＯＦＦを設定値として保持する工程と、
前記携帯電話の着信時に前記携帯電話が属する現在の基地局の基地局番号が保持される前記基地局番号と一致するか否かの判定を行う工程と、
着信転送設定がＯＮであるか否かの判定を行う工程と、
バイブレータＯＮの判定があり、前記携帯電話の着信時に基地局番号の一致との判定があり、且つ着信転送設定がＯＮであるとの判定があった場合、保持されている前記固定電話の電話番号に着信を通知する発信を行う工程とを備えることを特徴とする携帯電話の着信通知方法。
【発明の詳細な説明】
【０００１】
【産業上の利用分野】
本発明は携帯電話への着信を通知する携帯電話の着信通知システムに関する。本発明は、携帯電話のバイブレータがＯＮに設定されたままで自宅に放置されている場合に、着信があったときにも、着信の通知を行うことを可能にする携帯電話の着信システム及び方法に関する。
【０００２】
【従来の技術】
図１３は従来における携帯電話の着信通知システムの動作を説明するフローチャートである。
本図に示すように、ステップＳ９１において、携帯電話の着信通知システムは、携帯電話に着信があると、以下の着信通知動作を行う。
【０００３】
ステップＳ９２において、携帯電話のバイブレータについてＯＮ／ＯＦＦの判定を行う。
ステップＳ９３において、バイブレータがＯＦＦである場合には、着信音を鳴動させる。これにより、ユーザは、携帯電話を携帯し、又は携帯電話の近くにいれば、着信があったことを知ることができる。
【０００４】
ステップＳ９４において、ユーザが開始ボタンを押すと待ち受け状態から通話状態になる。
ステップＳ９５において、バイブレータがＯＮである場合には、バイブレータが振動する。
ステップＳ９６において、ユーザは携帯電話を携帯している場合にはバイブレータの振動に気がつき、開始ボタンを押すと、待ち受け状態から通話状態にすることができる。これにより、バイブレータの振動が停止する。しかし、ユーザは、携帯電話を携帯していない場合には、バイブレータの振動に気がつかず、着信を知ることができない。この場合、一定時間経過後に、バイブレータの振動が停止する。
【０００５】
ステップＳ９７において、バイブレータの振動が停止すると、携帯電話は、着信時に通話状態にならず、待ち受け状態を維持したままになる。
【０００６】
【発明が解決しょうとする課題】
ところで、上記携帯電話の着信通知システムでは、特に、自宅等にいる場合にはくつろいでいるため携帯電話を携帯していない場合がほとんどである。このため、バイブレータの振動を解除していないと、着信があった場合に気がつかず、次の日にようやく気がつくといった問題がある。
【０００７】
このような問題に対して、特開平１０−７０７６４号公報には、バイブレータの振動による着信通知を選択してあっても、所定時間振動後、自動的に振動から着信音の鳴音に切り換えて着信を知らせる携帯電話機の呼出方式が開示されている。
しかしながら、携帯電話の着信音の鳴動レベルには一定の限度があり、通常、ユーザの携帯時に着信音が聞ける程度に設定されているため、携帯電話がユーザから非常に離れている場合、携帯電話がカバンに入っており着信音の鳴動の伝達が遮断されている場合、着信音の鳴動が特に小さく設定されている場合等には、着信音が小さすぎて、やはり、ユーザは携帯電話への着信に気がつかないという問題がある。この場合には、単にバイブレータのＯＮ設定を着信音鳴動に設定に切り換えても意味が無い。
【０００８】
したがって、本発明は上記問題点に鑑みて、バイブレータの振動解除を失念し、携帯電話を携帯していない場合でも一定条件下でユーザへの着信の通知を可能にする携帯電話の着信通知システム及び方法を提供することを目的とする。
【０００９】
【課題を解決するための手段】
本発明は前記問題点を解決するために、着信時に着信通知を行う携帯電話の着信通知システムにおいて、前記携帯電話への着信を知らせるバイブレータのＯＮ／ＯＦＦを判定するバイブレータＯＮ／ＯＦＦ判定部と、固定電話の電話番号、前記固定電話が属するエリアにある前記携帯電話の基地局の基地局番号、着信転送設定ＯＮ／ＯＦＦを設定値として保持する設定値保持部と、前記携帯電話の着信時に前記携帯電話が属する現在の基地局の基地局番号が前記設定値保持部に保持される前記基地局番号と一致するか否かの判定、着信転送設定がＯＮであるか否かの判定を行う基地局番号判定部と、バイブレータＯＮ／ＯＦＦ判定部によるバイブレータＯＮの判定があり、前記携帯電話の着信時に前記基地局番号判定部による基地局番号の一致との判定があり、且つ、着信転送設定がＯＮであるとの判定があった場合、前記設定値保持部に保持されている前記固定電話の電話番号に着信を通知する発信を行う着信通知部とを備えることを特徴とする携帯電話の着信通知システムを提供する。
【００１０】
この手段により、バイブレータの振動解除を失念し、携帯電話を携帯していない場合でも、自宅等の固定電話の大きな着信音で、携帯電話のユーザへの着信の通知を可能にする。
さらに、本発明は、着信時に着信通知を行う携帯電話の着信通知システムにおいて、前記携帯電話への着信を知らせるバイブレータのＯＮ／ＯＦＦを判定するバイブレータＯＮ／ＯＦＦ判定部と、パーソナルコンピュータのメールアドレス、前記パーソナルコンピュータが属するエリアにある前記携帯電話の基地局の基地局番号、着信転送設定ＯＮ／ＯＦＦを設定値として保持する設定値保持部と、前記携帯電話の着信時に前記携帯電話が属する現在の基地局の基地局番号が前記設定値保持部に保持される前記基地局番号と一致するか否かの判定、着信転送設定がＯＮであるか否かの判定を行う基地局番号判定部と、バイブレータＯＮ／ＯＦＦ判定部によるバイブレータＯＮの判定があり、前記携帯電話の着信時に前記基地局番号判定部による基地局番号の一致との判定があり、且つ着信転送設定がＯＮであるとの判定があった場合、前記設定値保持部に保持されている前記パーソナルコンピュータのメールアドレスに着信を通知するメールを送信する着信通知部とを備えることを特徴とする携帯電話の着信通知システムを提供する。
【００１１】
この手段により、バイブレータの振動解除を失念し、携帯電話を携帯していない場合でも、自宅等におけるパーソナルコンピュータの大きなメールの着信音で、携帯電話のユーザへの着信の通知を可能にする。
さらに、本発明は、着信時に着信通知を行う携帯電話の着信通知システムにおいて、前記携帯電話への着信を知らせるバイブレータのＯＮ／ＯＦＦを判定するバイブレータＯＮ／ＯＦＦ判定部と、固定電話の電話番号、前記固定電話が属するエリアにある前記携帯電話の基地局の基地局番号、パーソナルコンピュータのメールアドレス、前記パーソナルコンピュータが属するエリアにある前記携帯電話の基地局の基地局番号、着信転送設定ＯＮ／ＯＦＦを設定値として保持する設定値保持部と、
前記携帯電話の着信時に前記携帯電話が属する現在の基地局の基地局番号が前記設定値保持部に保持される前記基地局番号と一致するか否かの判定、着信転送設定がＯＮであるか否かの判定を行う基地局番号判定部と、バイブレータＯＮ／ＯＦＦ判定部によるバイブレータＯＮの判定があり、前記携帯電話の着信時に前記基地局番号判定部による基地局番号の一致との判定があり、且つ着信転送設定がＯＮであるとの判定があった場合、前記設定値保持部に保持されている前記固定電話の電話番号に着信を通知し、又は前記パーソナルコンピュータのメールアドレスに着信を通知するメールを送信する着信通知部とを備えることを特徴とする携帯電話の着信通知システムを提供する。
【００１２】
この手段により、複数の転送先に対して、携帯電話が存在する転送先を判定し、転送先の固定電話の電話番号、パーソナルコンピュータのメールアドレスに応じて、携帯電話の着信の通知を行うことが可能になる。
好ましくは、さらに、前記設定値保持部に保持される固定電話の電話番号又はパーソナルコンピュータのメールアドレス、前記固定電話が属するエリアにある前記携帯電話の基地局の基地局番号、着信転送設定ＯＮ／ＯＦＦはキー操作から入力される。
この手段により、ユーザによる本発明の適用の選択が可能になる。
好ましくは、前記着信通知部は、前記バイブレータの振動停止から着信の通知を行う時間内に前記携帯電話にキー操作があったときに、着信の通知の動作を停止する。
【００１３】
この手段により、前記携帯電話にキー操作があったとき、ユーザが携帯電話の着信に気がついたとみなすためである。
好ましくは、前記設定値保持部は、前記着信通知部により前記バイブレータの振動停止から着信の通知が行われる時間を設定時間として保持し、保持した前記設定時間が可変にされる。
【００１４】
この手段により、ユーザの応答が急ぐ場合、急がない場合の要求に応じることを可能するためである。
好ましくは、前記着信通知部は、一定時間間隔の着信の通知に関する動作を設定回数だけ繰り返し行う。
この手段の繰り返し動作により、固定電話への着信音、パーソナルコンピュータへのメール着信音声にユーザを気がつかせることが可能になる。
【００１５】
好ましくは、前記着信通知部は、一定時間の着信の通知に関する動作を設定回数だけ繰り返し行う場合、着信の通知に関する動作間に前記携帯電話にキー操作があったとき、着信の通知を停止する。
この手段により、前記携帯電話にキー操作があったとき、ユーザが携帯電話の着信に気がついたとみなすためである。
【００１６】
好ましくは、前記設定値保持部は、前記着信報知部により行われる着信の通知に関する動作について、転送先の固定電話の電話番号又はパーソナルコンピュータのメールアドレスに発信するまでの待ち時間、転送先の電話番号又はメールアドレスに発信している時間、再転送先の電話番号又はメールアドレスに発信するまでの待ち時間を設定時間として保持し、保持される前記設定時間が可変にされ、さらに、好ましくは、前記設定値保持部は、前記着信報知部により行われる前記着信の通知に関する動作の時間間隔を設定時間間隔として保持し、保持される前記設定時間間隔が可変にされ、さらに、好ましくは、前記設定値保持部は、前記着信報知部により行われる着信の通知に関する動作の回数を設定回数として保持し、保持される前記設定回数が可変にされる。
【００１７】
これらの手段により、固定電話の着信音、パーソナルコンピュータのメール着信音声の聴取状況、例えば、周囲の騒音が大きい、ユーザが固定電話、パーソナルコンピュータから離れている、ユーザが仕事に集中している、ユーザが寝ている等の聴取状況に対応することができる。
さらに、本発明は、着信時に着信通知を行う携帯電話の着信通知方法において、前記携帯電話への着信を知らせるバイブレータのＯＮ／ＯＦＦを判定する工程と、固定電話の電話番号、前記固定電話が属するエリアにある前記携帯電話の基地局の基地局番号、着信転送設定ＯＮ／ＯＦＦを設定値として保持する工程と、前記携帯電話の着信時に前記携帯電話が属する現在の基地局の基地局番号が保持される前記基地局番号と一致するか否かの判定を行う工程と、着信転送設定がＯＮであるか否かの判定を行う工程と、バイブレータＯＮの判定があり、前記携帯電話の着信時に基地局番号の一致との判定があり、且つ着信転送設定がＯＮであるとの判定があった場合、保持されている前記固定電話の電話番号に着信を通知する発信を行う工程とを備えることを特徴とする携帯電話の着信通知方法を提供する。
この手段により、上記発明と同様に、バイブレータの振動解除を失念し、携帯電話を携帯していない場合でも、自宅等の固定電話の大きな着信音で、携帯電話のユーザへの着信の通知を可能にする。
【００１８】
【発明の実施の形態】
以下、本発明の実施の形態について図面を参照して説明する。
図１は本発明の実施例に係る携帯電話に関連する通信網の例を説明する図である。本図に示すように、携帯電話のユーザの自宅７００等において、携帯電話１００、固定電話２００、パーソナルコンピュータ３００が存在する場合に、携帯電話１００は、基地局４００との無線通信により移動通信網５００に接続され、固定電話２００、パーソナルコンピュータ３００は有線で固定電話網６００に接続される。
【００１９】
移動通信網４００と固定電話網５００とは接続されており、携帯電話１００と固定電話２００間では相互に電話をかけることが可能であり、携帯電話１００からパーソナルコンピュータ３００へメールでメッセージを送付することが可能である。
本発明では、ユーザ自宅７００内で、携帯電話１００のバイブレータの設定がＯＮになっているときに携帯電話１００への着信がある場合には、着信音を固定電話２００から通知することを可能にする。
【００２０】
このようにするのは、固定電話２００の鳴動音は通常大きいレベルで鳴動するようになっているので、電話があれば、通常、ユーザ宅の全員が知ることができ、携帯電話の着信に気がつかないということを回避できるためである。
また、パーソナルコンピュータ３００ではメールを受信すると、メール受信を音声で通知するものがある。携帯電話１００への着信がある場合には、携帯電話１００からパーソナルコンピュータ３００にメールを送付し、携帯電話への着信の通知をパーソナルコンピュータ３００から音声により行うことを可能にする。
【００２１】
以下に本発明の携帯電話の着信通知システムを詳細に説明する。
図２は本発明に係る携帯電話の着信通知システムの概略ブロックを示す図である。本図に示すように、携帯電話１００の制御部に新たに携帯電話の着信通知システムが設けられる。携帯電話の着信通知システムには、携帯電話１００に通常装備されている着信・発信部１１、キー操作部１２、着信音鳴動部１３、バイブレータ１４が接続される。
【００２２】
さらに、携帯電話の着信通知システムには設定値保持部１５、タイマ１６、カウンタ１７が接続される。
携帯電話の着信通知システムにはバイブレータＯＮ／ＯＦＦ判定部１８、基地局番号判定部１９、着信通知部２０が設けられる。
図３は図２の設定値保持部１５を説明する図である。本図に示すように、設定値保持部１５には設定値１〜設定値６が保持され、携帯電話の着信通知システムは、キー操作部１２からの入力に基づいて、設定値保持部１５に設定値１〜設定値６の初期値を設定する。
【００２３】
設定値１はバイブレータ振動による着信通知後、転送先の固定電話２００の電話番号（設定値２）に発信するまでの待ち時間ｔ１である。一例として、ｔ１＝３０分である。
設定値２は転送先の固定電話２００に対する電話番号、着信転送ＯＮ又はＯＦＦである。
【００２４】
設定値３は転送先の電話番号（設定値２）に発信している時間ｔ２である。一例として、ｔ２＝１０秒である。
設定値４は転送先の電話番号（設定値２）に発信を行う回数Ｎ０である。一例として、Ｎ０＝３である。
設定値５は転送先の電話番号（設定値２）に発信、発信停止後、再び転送先の電話番号（設定値２）に発信するまでの待ち時間ｔ３である。一例として、ｔ３＝５分である。
【００２５】
設定値６は、例えば、ユーザの自宅７００が属する４００の基地局番号である。設定値６は、ユーザの自宅７００以外からの着信転送を防止するために用いられる。
なお、基地局番号はユーザの「オフィス」、又は、「別荘」等が属する基地局番号であってもよい。
【００２６】
図２に戻り、バイブレータＯＮ／ＯＦＦ判定部１８は、携帯電話１００に着信があると、バイブレータ１４の設定がＯＮ又はＯＦＦであるかを判定する。
バイブレータ１４の設定がＯＦＦであると判定されると、着信音鳴動部１３による着信音が鳴動される。
バイブレータ１４の設定がＯＮであると判定されると、バイブレータ１４により、携帯電話１００で設定された時間だけ、振動が生じる。
【００２７】
基地局番号判定部１９は、設定値保持部１５の初期設定で、着信転送設定がＯＮ、且つ、現在の基地局番号が設定した基地局番号であるか否かの判定を行う。着信転送設定のＯＮ／ＯＦＦ判定によりユーザが本発明の適用を選択することを可能にする。
着信通知部２０は、着信転送設定ＯＮ、設定した基地局番号であるとの判定の場合には、着信後、キー操作部１２のキー操作が無ければ、転送先の電話番号に対して自動的に発信を行い、着信を行う。
【００２８】
図４及び図５は図２における携帯電話の着信通知システムの第１実施例に関する一連の動作を説明するフローチャートである。
本図４に示すように、ステップＳ１において、キー操作部１２より設定値保持部１５に対して、設定値１〜設定値６の初期値の入力が行われる。設定値１〜設定値６はユーザの要求に応じて可変にできる。
【００２９】
ステップＳ２において、着信・発信部１１により着信の確認が行われる。
ステップＳ３において、バイブレータＯＮ／ＯＦＦ判定部１８により、バイブレータ１４の設定に関するＯＮ／ＯＦＦの判定が行われる。
ステップＳ４において、上記設定がＯＦＦと判定された場合には、着信音鳴動部１３により、携帯電話１００に設定してある着信音の鳴動が行われる。
【００３０】
ステップＳ５において、ユーザが開始ボタンを押すと、携帯電話１００が待ち受け状態から通話状態になる。
ステップＳ６において、バイブレータ１４の設定がＯＮと判定された場合には、バイブレータ１４の振動、停止が行われる。
ステップＳ７において、基地局番号判定部１９により、着信転送設定、基地局番号を判定して、着信転送設定がＯＮであるか、且つ、現在の基地局番号が設定した基地局番号であるか否かの判定が行われる。
【００３１】
ステップＳ８において、この判定で、条件が一致しない場合には、携帯電話１００が待ち受け状態になる。つまり、ユーザがバイブレータ１４の振動に気がつかなければ、携帯電話１００の待ち受け状態がそのまま継続する。
ステップＳ９において、上記判定で、条件が一致した場合には、タイマ１６をスタートさせる。
【００３２】
ステップＳ１０において、タイマ１６のスタートから停止までの間に着信通知部２０により、キー操作部１２のキー操作があったか否かの判定が行われる。すなわち、着信履歴、留守番電話等から着信があったことに気がつくことがあるが、着信後短時間内で着信に気がついた場合に本発明の適用を除外し、着信後短時間内に着信に気がつかない場合に、以下のように、本発明の適用を行う。
【００３３】
ステップＳ１１において、キー操作部１２のキー操作があったとの判定が行われた場合には、タイマ１６の停止、クリアが行われる。ユーザが着信に気がついたとみなされるためである。
ステップＳ１２において、ユーザが相手の電話番号を入力し開始ボタンを押すと、携帯電話１００が待ち受け状態から通話状態になる。
【００３４】
ステップＳ１３において、タイマ１６のタイマ値１が、発信するまでの待ち時間である設定値１（ｔ１）になったか否かを判定し、タイマ値１が設定値１になっていない場合にはステップＳ１０に戻り、上記手順を繰り返し、タイマ値１が設定値１になるまで、タイマ１６の計数をカウントし続ける。
なお、設定値１は、ユーザの応答が急ぐ場合、急がない場合の要求に応じて、可変にできる。
【００３５】
ステップＳ１４において、タイマ値１が設定値１になり、タイマ１６が停止すると、カウンタ１７を、そのカウント値クリア後に、スタートする。
本図５に示すように、ステップＳ１５において、着信通知部２０は、設定値保持部１５に保存されている設定値２に関する転送先の固定電話２００の電話番号に対して発信を行う。すなわち、着信後、バイブレータ１４の振動に対して応答がなければ、転送先の固定電話２００の電話番号に対して着信通知部２０により着信の転送が行われる。これにより、固定電話２００の着信音が鳴動する。固定電話２００の着信音は、通常、携帯電話１００の着信音よりもはるかに大きい。
【００３６】
また、固定電話２００に「携帯電話に着信がありました。」との表示を行うようにしてもよい。
ステップＳ１６において、転送先の固定電話２００の電話番号に発信している時間が設定値３（ｔ２）になった場合には、発信を停止する。これにより、固定電話２００の着信音の鳴動が停止する。
【００３７】
ステップＳ１７において、カウンタ１７のカウンタ値１を＋１だけインクリメントする。
ステップＳ１８において、上記のカウンタ値１が、転送先の固定電話２００の電話番号に発信を行う回数である設定値４（Ｎ０）になったか否かを判定する。
【００３８】
すなわち、発信を繰り返すことにより、固定電話２００への着信音にユーザを気がつかせることが可能になるためである。
ステップＳ１９において、この判定で、条件が一致しない場合には、携帯電話１００が待ち受け状態になる。つまり、ユーザが固定電話２００の着信音の鳴動に気がつかなければ、携帯電話１００の待ち受け状態がそのまま継続される。これにより、一連の動作が終了する。
【００３９】
ステップＳ２０において、上記判定で、条件が一致した場合には、タイマ１６をスタートさせる。
ステップＳ２１において、タイマ１６のスタートから停止までの間に着信通知部２０により、キー操作部１２のキー操作があったか否かの判定が行われる。すなわち、固定電話２００の着信の鳴動後一定時間内に携帯電話の着信に気がついたときに、キー操作部１２のキー操作を行わさせるためである。
【００４０】
ステップＳ２２において、キー操作部１２のキー操作があったとの判定が行われた場合には、タイマ１６の停止、クリアが行われる。ユーザが携帯電話の着信に気がついたとみなすためである。
ステップＳ２３において、相手の電話番号を入力して、ユーザが開始ボタンを押すと、携帯電話１００が待ち受け状態から通話状態になる。
【００４１】
ステップＳ２４において、タイマ１６のタイマ値２が、再び発信するまでの待ち時間である設定値５（ｔ３）になったか否かを判定し、タイマ値１が設定値５になっていない場合にはステップＳ２１に戻り、上記手順を繰り返し、タイマ値２が設定値５になるまで、タイマ１６の計数をカウントし続ける。
タイマ値１が設定値５になった場合にはステップＳ１５に戻り、カウンタ１７のカウンタ値１が設定値４になるまで上記手順を繰り返す。
【００４２】
具体的には、設定値保持部１５に設定で示した一例の数値を用いて説明すると、基地局番号（設定値６）、着信転送の設定（設定値２）を確認し、バイブレータ１４の振動の停止３０分（設定値１）後に、転送先の固定電話２００の電話番号（設定値２）に対し、１０秒間（設定値３）発信し、その５分（設定値５）後に、同じ転送先に１０秒間発信するという動作を３回（設定値４）繰り返し、待ち受け状態になるという動作が行われる。
【００４３】
上記動作中でも、携帯電話１００のキー操作部１２のキー操作があった場合、着信があったことを認識できるので、動作を途中で終了して、待ち受け状態から通話状態にできる。
なお、上記設定値３、４、５はユーザの要求に応じて可変である。すなわち、固定電話２００に関する着信音の聴取状況、例えば、周囲の騒音が大きい、ユーザが固定電話２００から離れている、ユーザが仕事に集中している、ユーザが寝ている等の聴取状況に対応することができる。
【００４４】
このように、携帯電話１００を着信状態のまま自宅７００で放置した場合に自宅７００の固定電話２００に着信があったことを通知することが可能になるが、自宅７００だけでなく、オフィス、別荘等とした場合にも同様に実施が可能である。
したがって、本発明によれば、バイブレータ１４の振動状態により着信の通知を行っている携帯電話１００が自宅７００にある場合に、携帯電話１００の着信に気がつかなくても、自宅７００の固定電話２００の着信音がより大きな音で鳴動し、着信があったことを通知することが可能になる。
【００４５】
次に、着信音を固定電話の電話番号に転送する代わりにパーソナルコンピュータのメールアドレスにメールを転送する第２の実施例について説明を行う。
図６は図２の設定値保持部１５の変形例を説明する図である。本図に示すように、図３と比較して、設定値２が「パーソナルコンピュータ３００に対する転送先のメールアドレス、着信転送ＯＮ又はＯＦＦ」に変更される。この場合、メールメッセージ例として、「携帯電話１００に着信がありました。」が送付される。
【００４６】
なお、設定値３が削除され、他の設定値１、４、５、６には変更がない。
図７及び図８は図２における携帯電話の着信通知システムの第２実施例に関する一連の動作を説明するフローチャートである。
本図７に示すように、ステップＳ３１において、キー操作部１２より設定値保持部１５に対して、設定値１〜設定値６の初期値の入力が行われる。設定値１〜設定値６はユーザの要求に応じて可変にできる。
【００４７】
ステップＳ３２において、着信・発信部１１により着信の確認が行われる。
ステップＳ３３において、バイブレータＯＮ／ＯＦＦ判定部１８により、バイブレータ１４の設定に関するＯＮ／ＯＦＦの判定が行われる。
ステップＳ３４において、上記設定がＯＦＦと判定された場合には、着信音鳴動部１３により、携帯電話１００に設定してある着信音の鳴動が行われる。
【００４８】
ステップＳ３５において、ユーザが開始ボタンを押すと、携帯電話１００が待ち受け状態から通話状態になる。
ステップＳ３６において、バイブレータ１４の設定がＯＮと判定された場合には、バイブレータ１４の振動、停止が行われる。
ステップＳ３７において、基地局番号判定部１９により、着信転送設定、基地局番号を判定して、着信転送設定がＯＮであるか、且つ、現在の基地局番号が設定した基地局番号であるか否かの判定が行われる。
【００４９】
ステップＳ３８において、この判定で、条件が一致しない場合には、携帯電話１００が待ち受け状態になる。つまり、ユーザがバイブレータ１４の振動に気がつかなければ、携帯電話１００の待ち受け状態がそのまま継続する。
ステップＳ３９において、上記判定で、条件が一致した場合には、タイマ１６をスタートさせる。
【００５０】
ステップＳ４０において、タイマ１６のスタートから停止までの間に着信通知部２０により、キー操作部１２のキー操作があったか否かの判定が行われる。すなわち、着信履歴、留守番電話等から着信があったことに気がつくことがあるが、着信後短時間内に着信に気がついた場合に本発明の適用を除外し、着信後短時間内に着信に気がつかない場合に、以下のように、本発明の適用を行う。
【００５１】
ステップＳ４１において、キー操作部１２のキー操作があったとの判定が行われた場合には、タイマ１６の停止、クリアが行われる。
ステップＳ４２において、ユーザが相手の電話番号を入力し開始ボタンを押すと、携帯電話１００が待ち受け状態から通話状態になる。
ステップＳ４３において、タイマ１６のタイマ値１が、発信するまでの待ち時間である設定値１（ｔ１）になったか否かを判定し、タイマ値１が設定値１になっていない場合にはステップＳ４０に戻り、上記手順を繰り返し、タイマ値１が設定値１になるまで、タイマ１６の計数をカウントし続ける。
【００５２】
なお、設定値１は、ユーザの応答が急ぐ場合、急がない場合の要求に応じて、可変にできる。
ステップＳ４４において、タイマ値１が設定値１になり、タイマ１６が停止すると、カウンタ１７を、そのカウント値クリア後に、スタートする。
本図８に示すように、ステップＳ４５において、着信通知部２０は、設定値保持部１５に保存されている設定値２に関する転送先のメールアドレス対してメール送付を行う。すなわち、着信後、バイブレータ１４の振動に対して応答がなければ、転送先のメールアドレス対して、着信通知部２０により例えば、「携帯電話に着信がありました。」とのメールメッセージの送付が行われる。
【００５３】
パーソナルコンピュータ３００のメールメッセージを受信すると、音声で、「携帯電話に着信がありました。」との鳴動による通知が行われる。通常、音声による鳴動は、携帯電話１００の着信音よりもはるかに大きい。
また、パーソナルコンピュータ３００に「携帯電話に着信がありました。」との表示を行うようにしてもよい。
【００５４】
ステップＳ４６において、カウンタ１７のカウンタ値１を＋１だけインクリメントする。
ステップＳ４７において、上記のカウンタ値１が、転送先のパーソナルコンピュータ３００のメールアドレスに発信を行う回数である設定値４（Ｎ０）になったか否かを判定する。
【００５５】
すなわち、発信を繰り返すことにより、パーソナルコンピュータ３００へのメール着信音声にユーザを気がつかせることが可能になる。
ステップＳ４８において、この判定で、条件が一致しない場合には、携帯電話１００が待ち受け状態になる。つまり、パーソナルコンピュータ３００の音声通知に気がつかなければ、携帯電話１００の待ち受け状態がそのまま継続される。これにより、一連の動作が終了する。
【００５６】
ステップＳ４９において、上記判定で、条件が一致した場合には、タイマ１６をスタートさせる。
ステップＳ５０において、タイマ１６のスタートから停止までの間に着信通知部２０により、キー操作部１２のキー操作があったか否かの判定が行われる。すなわち、パーソナルコンピュータ３００のメール着信の鳴動後一定時間内に携帯電話の着信に気がついたときに、キー操作部１２のキー操作を行わさせるためである。
【００５７】
ステップＳ５１において、キー操作部１２のキー操作があったとの判定が行われた場合には、タイマ１６の停止、クリアが行われる。ユーザが着信に気がついたとみなされるためである。
ステップＳ５２において、ユーザが相手の電話番号を入力し開始ボタンを押すと、携帯電話１００が待ち受け状態から通話状態になる。
【００５８】
ステップＳ５３において、タイマ１６のタイマ値２が、再び発信するまでの待ち時間である設定値５（ｔ３）になったか否かを判定し、タイマ値１が設定値５になっていない場合にはステップＳ５０に戻り、上記手順を繰り返し、タイマ値２が設定値５になるまで、タイマ１６の計数をカウントし続ける。
タイマ値１が設定値５になった場合にはステップＳ４５に戻り、カウンタ１７のカウンタ値１が設定値４になるまで上記手順を繰り返す。
【００５９】
具体的には、設定値保持部１５に設定で示した一例の数値を用いて説明すると、基地局番号（設定値６）、着信転送の設定（設定値２）を確認し、バイブレータ１４の振動の停止３０分（設定値１）後に、転送先のメールアドレス（設定値２）に対し、「携帯電話２００に着信がありました。」とのメッセージをメールし、その５分（設定値５）後に、同じ転送先に「携帯電話２００に着信がありました。」とのメッセージをメールするという動作を３回（設定値４）繰り返し、待ち受け状態になるという動作が行われる。
【００６０】
上記動作中でも、携帯電話１００のキー操作部１２のキー操作があった場合、着信があったことを認識できるので、動作を途中で終了して、待ち受け状態から通話状態にできる。
なお、上記設定値４、５はユーザの要求に応じて可変である。すなわち、パーソナルコンピュータ３００に関するメール着信の音声の聴取状況、例えば、周囲の騒音が大きい、ユーザがパーソナルコンピュータ３００から離れている、ユーザが仕事に集中している、ユーザが寝ている等の聴取状況に対応することができる。
【００６１】
このように、携帯電話１００を着信状態のまま自宅７００で放置した場合に自宅７００のパーソナルコンピュータ３００に着信があったことを通知することが可能になるが、自宅７００だけでなく、オフィス、別荘等とした場合にも同様に実施が可能である。
したがって、本発明によれば、バイブレータ１４の振動状態により着信の通知を行っている携帯電話１００が自宅７００にある場合に、携帯電話１００の着信に気がつかなくても、自宅７００のパーソナルコンピュータ３００によるメール着信の通知音声がより大きな音で鳴動し、着信があったことを通知することが可能になる。
【００６２】
図９は本発明の第３の実施例に係る携帯電話に関連する通信網の別の例を説明する図である。本図に示すように、図１と比較して、基地局４００Ａのエリアに属する自宅７００Ａ、基地局４００Ｂのエリアに属するオフィス７００Ｂが存在し、自宅７００Ａには固定電話２００が設置され、７００Ｂにはパーソナルコンピュータ３００が設置されているとする。
【００６３】
さらに、ユーザは携帯電話１００を持参して自宅７００Ａ又はオフィス７００Ｂを往来するとする。
図１０は図２の設定値保持部１５の変形例を説明する図である。本図に示すように、設定値保持部１５には設定値１〜設定値６が保持され、携帯電話の着信通知システムは、キー操作部１２からの入力に基づいて、設定値保持部１５に設定値１〜設定値６の初期値を設定する。
【００６４】
設定値１はバイブレータ振動による着信通知後、設定値２Ａ、２Ｂに発信するまでの待ち時間である。一例として、ｔ１＝３０分である。
設定値２Ａは、基地局４００Ａの基地局番号２Ａの場合、転送先の固定電話２００に対する電話番号、又はパーソナルコンピュータ３００に対する転送先のメールアドレスであり、設定値２Ｂは、基地局４００Ｂの基地局番号２Ｂの場合、転送先の固定電話２００に対する電話番号、又は転送先のパーソナルコンピュータ３００に対するメールアドレスであり、それぞれの着信転送ＯＮ又はＯＦＦである。
【００６５】
設定値３は、設定値２Ａ、２Ｂの転送先の電話番号、転送先のメールアドレスにそれぞれ発信している時間ｔ２である。一例として、ｔ２＝１０秒である。
設定値４は、設定値２Ａ、２Ｂの転送先の電話番号又は転送先のメールアドレスに発信を行う回数Ｎ０である。一例として、Ｎ０＝３である。
設定値５は、設定値２Ａ、２Ｂに発信、発信停止後、再び設定値２Ａ、２Ｂに転送先の電話番号又は転送先アドレスを発信するまでの待ち時間ｔ３である。一例として、ｔ３＝５分である。
【００６６】
設定値６は、基地局４００Ａの属する基地局番号Ａであり、基地局４００Ｂの属する基地局番号Ｂである。設定値６は、自宅７００Ａ、オフィス７００Ｂ以外からの着信転送を防止するために用いられる。
図１１及び図１２は図２における携帯電話の着信通知システムの第３実施例に関する一連の動作を説明するフローチャートである。
【００６７】
本図１１に示すように、ステップＳ６１において、キー操作部１２より設定値保持部１５に対して、設定値１〜設定値５の初期値の入力が行われる。設定値１〜設定値６はユーザの要求に応じて可変にできる。
ステップＳ６２において、着信・発信部１１により着信の確認が行われる。
ステップＳ６３において、バイブレータＯＮ／ＯＦＦ判定部１８により、バイブレータ１４の設定に関するＯＮ／ＯＦＦの判定が行われる。
【００６８】
ステップＳ６４において、上記設定がＯＦＦと判定された場合には、着信音鳴動部１３により、携帯電話１００に設定してある着信音の鳴動が行われる。
ステップＳ６５において、ユーザが開始ボタンを押すと、携帯電話１００が待ち受け状態から通話状態になる。
ステップＳ６６において、バイブレータ１４の設定がＯＮと判定された場合には、バイブレータ１４の振動、停止が行われる。
【００６９】
ステップＳ６７において、基地局番号判定部１９により、着信転送設定、基地局番号を判定して、着信転送設定がＯＮであるか、且つ、現在の基地局番号が設定した基地局４００Ａの基地局番号Ａ又は基地局４００Ｂの基地局番号Ｂであるか否かの判定が行われる。
判定された基地局番号が基地局番号Ａの場合には設定値２Ａが有効となり、判定された基地局番号が基地局番号Ｂの場合には設定値２Ｂが有効となる。
【００７０】
ステップＳ６８において、この判定で、条件が一致しない場合には、携帯電話１００が待ち受け状態になる。つまり、ユーザがバイブレータ１４の振動に気がつかなければ、携帯電話１００の待ち受け状態がそのまま継続する。
ステップＳ６９において、上記判定で、条件が一致した場合には、タイマ１６をスタートさせる。
【００７１】
ステップＳ７０において、タイマ１６のスタートから停止までの間に着信通知部２０により、キー操作部１２のキー操作があったか否かの判定が行われる。すなわち、着信履歴、留守番電話等から着信があったことに気がつくことがあるが、着信後短時間内に着信に気がついた場合に本発明の適用を除外し、着信後短時間内に着信に気がつかない場合に、以下のように、本発明の適用を行う。
【００７２】
ステップＳ７１において、キー操作部１２のキー操作があったとの判定が行われた場合には、タイマ１６の停止、クリアが行われる。ユーザが着信に気がついたとみなされるためである。
ステップＳ７２において、ユーザが相手の電話番号を入力し開始ボタンを押すと、携帯電話１００が待ち受け状態から通話状態になる。
【００７３】
ステップＳ７３において、タイマ１６のタイマ値１が、発信するまでの待ち時間である設定値１（ｔ１）になったか否かを判定し、タイマ値１が設定値１になっていない場合にはステップＳ１０に戻り、上記手順を繰り返し、タイマ値１が設定値１になるまで、タイマ１６の計数をカウントし続ける。
なお、設定値１は、ユーザの応答が急ぐ場合、急がない場合の要求に応じて、可変にできる。
【００７４】
ステップＳ７４において、タイマ値１が設定値１になり、タイマ１６が停止すると、カウンタ１７を、そのカウント値クリア後に、スタートする。
本図１２に示すように、ステップＳ７５において、設定値２Ａ又は設置値２Ｂの転送先が電話番号か否かの判定を行う。
ステップＳ７６において、転送先が電話番号でない場合には、着信通知部２０は、設定値保持部１５に保存されている設定値２Ａ又は設定値２Ｂに関する転送先のメールアドレス対してメール送付を行う。すなわち、着信後、バイブレータ１４の振動に対して応答がなければ、転送先のメールアドレス対して、着信通知部２０により、例えば、「携帯電話に着信がありました。」とのメールメッセージの送付が行われる。
【００７５】
パーソナルコンピュータ３００のメールメッセージを受信すると、音声で、「携帯電話に着信がありました。」との鳴動による通知が行われる。通常、音声による鳴動は、携帯電話１００の着信音よりもはるかに大きい。
また、パーソナルコンピュータ３００に「携帯電話に着信がありました。」との表示を行うようにしてもよい。この処理の後ステップＳ７９に進む。
【００７６】
ステップＳ７７において、転送先が電話番号である場合には、着信通知部２０は、設定値保持部１５に保存されている設定値２Ａ又は設定値２Ｂに関する転送先の固定電話２００の電話番号に対して発信を行う。すなわち、着信後、バイブレータ１４の振動に対して応答がなければ、転送先の固定電話２００の電話番号に対して着信通知部２０により、着信の転送が行われる。これにより、固定電話２００の着信音が鳴動する。固定電話２００の着信音は、通常、携帯電話１００の着信音よりもはるかに大きい。
【００７７】
また、固定電話２００に「携帯電話に着信がありました。」との表示を行うようにしてもよい。
ステップＳ７８において、転送先の固定電話２００の電話番号に発信している時間が設定値３（ｔ２）になった場合には、発信を停止する。これにより、固定電話２００の着信音の鳴動が停止する。
【０００７８】
ステップＳ７９において、カウンタ１７のカウンタ値１を＋１だけインクリメントする。
ステップＳ８０において、上記のカウンタ値１が、転送先の固定電話２００の電話番号に発信を行う回数、又はパーソナルコンピュータ３００へのメールアドレスに発信を行う回数である設定値４（Ｎ０）になったか否かを判定する。
【００７９】
すなわち、繰り返し発信することにより、固定電話２００への着信音、又はパーソナルコンピュータ３００へのメール着信音声にユーザを気がつかせることが可能になる。
ステップＳ８１において、この判定で、条件が一致しない場合には、携帯電話１００が待ち受け状態になる。つまり、ユーザが固定電話２００の着信音の鳴動に気がつかなければ、携帯電話１００の待ち受け状態がそのまま継続される。又はユーザがパーソナルコンピュータ３００のメールメッセージに関する音声通知の鳴動に気がつかなければ、携帯電話１００の待ち受け状態がそのまま継続される。これにより、一連の動作が終了する。
【００８０】
ステップＳ８２において、上記判定で、条件が一致した場合には、タイマ１６をスタートさせる。
ステップＳ８３において、タイマ１６のスタートから停止までの間に着信通知部２０により、キー操作部１２のキー操作があったか否かの判定が行われる。すなわち、固定電話２００の着信の鳴動後一定時間内に又はパーソナルコンピュータ３００のメール着信後一定時間内に、携帯電話の着信に気がついたときに、キー操作部１２のキー操作を行わさせるためである。
【００８１】
ステップＳ８４において、キー操作部１２のキー操作があったとの判定が行われた場合には、タイマ１６の停止、クリアが行われる。ユーザが携帯電話の着信に気がついたとみなすためである。
ステップＳ８５において、ユーザが相手の電話番号を入力し開始ボタンを押すと、携帯電話１００が待ち受け状態から通話状態になる。
【００８２】
ステップＳ８６において、タイマ１６のタイマ値２が、再び発信するまでの待ち時間である設定値５（ｔ３）になったか否かを判定し、タイマ値１が設定値５になっていない場合にはステップＳ２１に戻り、上記手順を繰り返し、タイマ値２が設定値５になるまで、タイマ１６の計数をカウントし続ける。
タイマ値２が設定値５になった場合にはステップＳ８３に戻り、カウンタ１７のカウンタ値２が設定値５になるまで上記手順を繰り返す。
【００８３】
具体的には、設定値保持部１５に設定で示した一例の数値を用いて説明すると、基地局番号（設定値６）、着信転送の設定（設定値２Ａ又は設定値２Ｂ）を確認し、バイブレータ１４の振動の停止３０分（設定値１）後に、自宅７００Ａにいる場合には、転送先の固定電話２００の電話番号（設定値２Ａ）に対し、１０秒間（設定値３）発信し、その５分（設定値５）後に、同じ転送先に１０秒間発信するという動作を３回（設定値４）繰り返し、待ち受け状態になるという動作が行われる。
【００８４】
又は、オフィス７００Ｂにいる場合には、転送先のパーソナルコンピュータ３００のメールアドレス（設定値２Ｂ）に対し発信し、その５分（設定値５）後に、同じ転送先に発信するという動作を３回（設定値４）繰り返し、待ち受け状態になるという動作が行われる。
上記動作中でも、携帯電話１００のキー操作部１２のキー操作があった場合、着信があったことを認識できるので、動作を途中で終了して、待ち受け状態から通話状態にできる。
【００８５】
なお、上記設定値３、４、５はユーザの要求に応じて可変である。すなわち、固定電話２００に関する着信音、又はパーソナルコンピュータ３００に関するメール着信の音声の聴取状況、例えば、周囲の騒音が大きい、ユーザが固定電話２００、又はパーソナルコンピュータ３００から離れている、ユーザが仕事に集中している、ユーザが寝ている等の聴取状況に対応することができる。
【００８６】
このように、携帯電話１００を着信状態のまま自宅で放置した場合に自宅の固定電話２００に着信があったことを通知することが可能になるが、自宅だけでなく、オフィス、別荘等とした場合にも同様に実施が可能である。
したがって、本発明によれば、バイブレータ１４の振動状態により着信の通知を行っている携帯電話１００が自宅７００Ａにある場合に、携帯電話１００の着信に気がつかなくても、自宅７００Ａの固定電話２００の着信音がより大きな音で鳴動し、着信があったことを通知することが可能になる。
【００８７】
同時に、バイブレータ１４の振動状態により着信の通知を行っている携帯電話１００がオフィス７００Ｂにある場合に、携帯電話１００の着信に気がつかなくても、オフィス７００Ｂのパーソナルコンピュータ３００によるメール着信の通知音声がより大きな音で鳴動し、着信があったことを通知することが可能になる。
【００８８】
【発明の効果】
以上説明したように、本発明によれば、携帯電話への着信を知らせるバイブレータのＯＮ／ＯＦＦを判定し、固定電話の電話番号、固定電話が属するエリアにある携帯電話の基地局の基地局番号を設定値として保持し、携帯電話の着信時に前記携帯電話が属する現在の基地局の基地局番号が保持される基地局番号と一致するか否かの判定し、携帯電話の着信時に、基地局番号の一致との判定、バイブレータＯＮの判定に基づいて、保持されている固定電話の電話番号に着信を通知する発信を行うようにしたので、バイブレータの振動を解除せずに、携帯電話を携帯していない場合でも一定条件下でユーザに対して携帯電話への着信の通知を可能にする。
【図面の簡単な説明】
【図１】本発明の第１の実施例に係る携帯電話に関連する通信網の例を説明する図である。
【図２】本発明に係る携帯電話の着信通知システムの概略ブロックを示す図である。
【図３】図２の設定値保持部１５を説明する図である。
【図４】図２における携帯電話の着信通知システムの第１実施例に関する一連の動作を説明するフローチャートである。
【図５】図２における携帯電話の着信通知システムの第１実施例に関する一連の動作を説明するフローチャートである。
【図６】図２の設定値保持部１５の変形例を説明する図である。
【図７】図２における携帯電話の着信通知システムの第２実施例に関する一連の動作を説明するフローチャートである。
【図８】図２における携帯電話の着信通知システムの第２実施例に関する一連の動作を説明するフローチャートである。
【図９】本発明に係る携帯電話に関連する通信網の別の例を説明する図である。
【図１０】図２の設定値保持部１５の変形例を説明する図である。
【図１１】図２における携帯電話の着信通知システムの第３実施例に関する一連の動作を説明するフローチャートである。
【図１２】図２における携帯電話の着信通知システムの第３実施例に関する一連の動作を説明するフローチャートである。
【図１３】従来における携帯電話の着信通知システムの動作を説明するフローチャートである。
【符号の説明】
１１…着信・発信部
１２…キー操作部
１３…着信音鳴動部
１４…バイブレータ
１５…設定値保持部
１６…タイマ
１７…カウンタ
１８…バイブレータＯＮ／ＯＦＦ判定部
１９…基地局番号判定部
２０…着信通知部
１００…携帯電話
２００…固定電話
３００…パーソナルコンピュータ
４００…基地局
５００…移動通信網
６００…固定電話網
７００、７００Ａ…自宅
７００Ｂ…オフィス
【図１】
0003826394.tif 000002
【図２】
0003826394.tif 000003
【図３】
0003826394.tif 000004
【図４】
0003826394.tif 000005
【図５】
0003826394.tif 000006
【図６】
0003826394.tif 000007
【図７】
0003826394.tif 000008
【図８】
0003826394.tif 000009
【図９】
0003826394.tif 000010
【図１０】
0003826394.tif 000011
【図１１】
0003826394.tif 000012
【図１２】
0003826394.tif 000013
【図１３】
0003826394.tif 000014